(57)【要約】      （修正有）【課題】文書を長期間クランプしても、文書に痕が残らず、簡単に文書を出し入れする動作のみで操作が可能であり、また、重力という自然現象を活用するのみなので、様々なデザインの製品に適用可能であり、記念品のような様々な用途の製品設計が可能である。【解決手段】クリップ本体１０に形成されたガイド孔２０にクリップボール３０を挟み、クリップボール３０と下部支持板１３との間に文書を挟んで構成し、クリップボール３０が重力によって、ガイド孔２０の下端に移動する自然現象を利用して文書をクランプする。さらに、クリップ本体１０やクリップボール３０に磁力を形成し、ワイヤクリップや押しピン等を保管するように構成することもできる。【選択図】図４
2011000876.tif 000002
【特許請求の範囲】
【請求項１】
内側に間隔（１１）を形成する上部ガイド板（１２）及び下部支持板（１３）の二枚の板からなるとともに、一側が開放されて文書挿入のための間隔部（１４）を形成し、他側は、前記上部ガイド板（１２）及び前記下部支持板（１３）が互いに連結された状態で形成され、前記開放された下部支持板（１３）の終端に設けられ、テーパー状に切断したテーパー面（１５）が形成されたクリップ本体（１０）と、
前記クリップ本体（１０）の上部ガイド板（１２）に形成され、同上部ガイド板（１２）の上下方向に貫通するとともに、頂点が丸みを帯びた逆三角形状のガイド孔（２０）と、
前記上部ガイド板（１２）と下部支持板（１３）との間において、前記ガイド孔（２０）に外郭面の一部が挿入可能に挟まれたクリップボール（３０）と、
を備えることを特徴とするボールクリップ。
【請求項２】
内側に間隔（４１）を形成する上部ガイド板（４２）及び下部支持板（４３）の二枚の板からなるとともに、一側は開放されて文書挿入のための間隔部（１４）を形成し、他側は、前記上部ガイド板（１２）及び前記下部支持板（１３）が互いに連結された状態で形成され、前記開放された下部支持板４３の終端に設けられ、テーパー状に切断したテーパー面（４５）が形成されたクリップ本体（４０）と、
前記クリップ本体（４０）の前記上部ガイド板（４２）には、同上部ガイド板（４２）の上下方向に貫通するとともに、左右に対称であり、一定の間隔で離間した半円形状の１対のガイド孔（５０）と、
前記上部ガイド板（１２）と前記下部支持板（１３）との間において、前記１対のガイド孔（５０）にそれぞれ外郭面の一部が挿入可能に挟まれた１対のクリップボール（６０）と、
を備えることを特徴とするボールクリップ。
【請求項３】
内側に間隔（７１）を形成する上部ガイド板（７２）及び下部支持板（７３）の二枚の板からなるとともに、一側は開放されて文書挿入のための間隔部（７４）を形成し、他側は、前記上部ガイド板（１２）及び前記下部支持板（１３）が互いに連結された状態で形成され、前記開放された下部支持板（７３）の終端は、テーパー状に切断したテーパー面（７５）をなし、平面視の外形が女体形状の湾曲したクリップ本体（７０）と、
前記クリップ本体（７０）の前記上部ガイド板（７２）には、同上部ガイド板（７２）の上下方向に貫通するとともに、一側に偏り、滑らかに丸み帯びて湾曲を有する形状のガイド孔（５０）と、
前記上部ガイド板（７２）と前記下部支持板（７３）との間において、前記ガイド孔（８０）に外郭面の一部が挿入可能に挟まれたクリップボール（９０）と、
を備えることを特徴とするボールクリップ。
【請求項４】
前記クリップボール（９０）が前記ガイド孔（８０）に沿って移動して文書をクランプする場合、前記クリップ本体（７０）の外部に一側の外郭部が突出して一側に偏るように、前記クリップボール（９０）を挟む前記ガイド孔（８０）が形成されていることを特徴とする請求項３に記載のボールクリップ。
【請求項５】
前記クリップ本体（１０、４０、７０）には、磁石粉末のコーティング及び磁場を発生させるコーティングのうち一つ以上が形成され、前記コーティングの磁力で前記コーティングの表面を金属面に付着可能にしたことを特徴とする請求項１乃至３のいずれか一項に記載のボールクリップ。
【請求項６】
前記クリップボール（３０、６０、９０）には、磁石粉末のコーティング及び磁場を発生させるコーティングのうち一つ以上が形成され、前記コーティングの磁力で前記コーティングの表面を金属面に付着可能にしたことを特徴とする請求項５に記載のボールクリップ。
【発明の詳細な説明】
【技術分野】
【０００１】
本発明は、ボールを用いて文書を保管するボールクリップに関し、特に、クリップ本体に形成されたガイド孔にクリップボールを挟み、クリップボールと支持板との間に文書を挟んで構成し、クリップボールが重力によって、ガイド孔の下端に移動する自然現象を利用して文書をクランプするものであり、クリップ本体やクリップボールに磁石を形成し、ワイヤクリップや押しピン等を保管するように構成することもできる、多機能のボールクリップに関する。
【背景技術】
【０００２】
一般に、「クリップ」は、文書を一定量ずつ保管するために用いる事務用品であるが、金属板やワイヤを折り曲げて多様な形態に作製される。韓国登録特許第０７７６０５９号公報に記載の「事務用クリップ」による従来のクリップ製品について説明する。図１乃至図３に示す従来の事務用クリップは、中央で折り曲げられ、両端１３ａ、１３ｂで互いに弾力的に当接しており、両端１３ａ、１３ｂから折曲部１２ａに向かって大きな距離を維持しているクリップ本体１０ａを備える。クリップ本体１０ａは、三角形または五角形の断面を有する。
【０００３】
クリップ本体１０ａの両面には、取っ手１５の挿入突起１５ａ、１５ｂをピボット結合するために固定溝１１ａ、１１ｂが形成される。固定溝１１ａ、１１ｂは、クリップ本体ａの折り曲げ前に形成されるノッチやランス孔からなる。取っ手１５を加圧してクリップ本体１０ａを広げ、その間に文書を挟み込み、取っ手１５の加圧を解除すると、クリップ本体１０ａの弾性力によって文書がクランプされる。
【０００４】
この種のクリップは、単純事務用品以外には用途がない。机やパーティションに垂直に引っ掛けて保管するためには、パーティションに別途のスクリューや掛け具を設置しなければならず、不便であった。また、クランプの痕が文書に残り、文書を汚すという問題点があり、事務環境を整理整頓するために、保管箱を別途に備えなければならないという問題点があった。
【先行技術文献】
【特許文献】
【０００５】
【特許文献１】韓国特許第２０−０２１２９３５号公報
【特許文献２】米国特許第４０８５８４８号明細書
【発明の概要】
【発明が解決しようとする課題】
【０００６】
本発明の目的は、ボールを用いて文書を保管するボールクリップに関し、特に、クリップ本体に形成されたガイド孔にクリップボールを挟み、クリップボールと支持板との間に文書を挟んで構成し、クリップボールが重力によって、ガイド孔の下端に移動する自然現象を利用して文書をクランプするものであり、クリップ本体やクリップボールに磁石を形成し、ワイヤクリップや押しピン等を保管するように構成することもできる多機能のボールクリップを提供することにある。
【課題を解決するための手段】
【０００７】
上記目的を達成するために、本発明の一実施形態は、内側に間隔１１を形成する上部ガイド板１２及び下部支持板１３の二枚の板からなるとともに、一側は開放されて間隔部１４を形成し、他側は、上部ガイド板１２及び下部支持板１３が互いに連結された状態で形成され、開放された下部支持板１３の終端は、テーパー状に切断したテーパー面１５が形成されたクリップ本体１０と、クリップ本体１０の上部ガイド板１２には、同上部ガイド板１２の上下方向に貫通するとともに、頂点が丸みを帯びた逆三角形状のガイド孔２０と、上部ガイド板１２と下部支持板１３との間において、ガイド孔２０に外郭面の一部が挿入可能に挟まれたクリップボール３０と、を備えて構成され、間隔部１４に挿入される文書３５をクランプ可能に構成される。上部ガイド板１２と下部支持板１３との間に装着されたクリップボール３０はゴムで形成されてもよい。それにより、文書を強固に保持することができる。
【発明の効果】
【０００８】
本発明は、文書を長期間クランプしても、文書に痕が残らず、簡単に文書を出し入れする動作のみで操作が可能であるという長所がある。
また、重力という自然現象を活用するのみであるので、本発明は、様々なデザインの製品に適用可能であり、これにより、記念品のような様々な用途の製品設計が可能であるという長所がある。
【図面の簡単な説明】
【０００９】
【図１】従来のクリップを示す図。
【図２】従来のクリップを示す図。
【図３】従来のクリップを示す図。
【図４】本発明の第１乃至第３の実施形態を示す分解斜視図。
【図５】本発明の第１乃至第３の実施形態を示す結合斜視図。
【図６】本発明の第１乃至第３の実施形態を示す正面図。
【図７】本発明の第３実施形態の作動状態を示す図。
【図８】本発明の第１乃至第３実施形態の作動状態を示す図。
【図９】本発明の第１乃至第３の実施形態のボールクリップを用いて、押しピンや折曲クリップを集めて用いる形態を示す使用状態図。
【図１０】本発明の第２実施形態による製品デザインを示す図。
【図１１】本発明の第２実施形態による製品デザインを示す図。
【図１２】本発明の第３実施形態による製品デザインを示す図。
【図１３】本発明の第３実施形態による製品デザインを示す図。
【発明を実施するための形態】
【００１０】
以下、添付した図面に基づき、本発明の好適な実施形態について詳述する。
ここでは、図４（ａ）乃至図４（ｃ）に示すような３つの実施形態を提示する。クリップ本体１０、４０、７０の上部をなす上部ガイド板１２、４２、７２にガイド孔２０、５０、８０が形成されている。ガイド孔２０、５０、８０にクリップボール３０、６０、９０を挟み、クリップボール３０、６０、９０と下部支持板１３、４３、７３との間に文書を挟み込む。３つの実施形態は、ガイド孔２０、５０、８０に沿って下向きに作用するクリップボール３０、６０、９０の荷重を利用して文書をクランプする原理は同一であるが、このような原理を適用する形態においてこれら３つの実施形態が異なっている。
【００１１】
第１実施形態を図４（ａ）に示す。ボールクリップ１００は、内側に間隔１１を形成する上部ガイド板１２と下部支持板１３との二枚の板からなるが、ボールクリップ１００の一側は開放され、間隔部１４が形成されており、ボールクリップ１００の他側は、上部ガイド板１２及び下部支持板１３が互いに連結された状態で形成されている。開放された下部支持板１３の終端には、テーパー状に切断したテーパー面１５が形成されたクリップ本体１０が設けられている。上部ガイド板１２には、同上部ガイド板１２の上下方向に貫通するガイド孔２０が設けられている。ガイド孔２０に外郭面の一部が挿入可能に挟まれたクリップボール３０が設けられている。これにより、間隔部１４に挿入される文書３５をクランプするものである。
【００１２】
クリップ本体１０は、ガイド孔２０が形成された上部ガイド板１２と、その下端に一体で成形される下部支持板１３とからなる。クリップ本体１０は、様々な形状で作製可能であるが、図４に示すように、側面の開口部の形態を自動車の外形状に作成してもよく、滑らかに丸みを帯びた半円形を維持してもよい。上部ガイド板１２には、ガイド孔２０が形成される。ガイド孔２０の形状は逆三角形を維持するが、頂点を無くし、滑らかに丸みを帯びた形状に作製する。上部ガイド板１２と下部支持板１３との間の間隔１１にクリップボール３０を挿入するが、ガイド孔２０にクリップボール３０の上部の外面が一部挟まれるようにする。したがって、間隔１１の長さは、クリップボール３０の直径に比べて、多少小さい状態に維持され、ガイド孔２０の外部にクリップボール３０の一部が突出するようにする。
【００１３】
このように構成すると図８（ａ）に示すように、ボールクリップ１００に文書を挟み込んで文書の保管が便利である。クリップ本体１０の間隔部１４に向かって文書３５を挟み込めば、文書３５は、下部支持板１３とクリップボール３０との間に押し込まれるようになる。この際、文書３５が挿入される力によって、クリップボール３０が上部に上って押されるが、クリップボール３０は、ガイド孔２０に沿って上昇する。
【００１４】
ボールクリップ１００は、通常、壁面に掛けて用いられるが、ボールクリップ１００の下端、すなわち、間隔部１４が紙面に向かって設置される。間隔部１４に向かって文書３５を挿入すると、クリップボール３０がガイド孔２０に沿って上方に上昇しながら、クリップボール３０と下部支持板１３との間の間隔１１が広がり、ここに文書３５が挟み込まれる。その後、クリップボール３０は、重力によって下向きに、ガイド孔２０に沿って下がるが、その重さによって、クリップボール３０と下部支持板１３との間の間隔１１を狭めながら文書３５をクランプする。
【００１５】
この際、ガイド孔２０の形状は、逆三角形であることが好ましいが、文書３５を挿入するときは、クリップボール３０が良好に上昇し、文書３５の挿入を容易にし、クリップボール３０が下向き下がるときは、堅固かつ密着したクランプが行われるように、クリップボール３０の外郭部が挟まれる空間を減らしたものである。また、文書３５が容易に挿入可能に、下部支持板１３の終端は、テーパー面１５となっていることが好ましい。
【００１６】
第２実施形態を図４（ｂ）に示す。ボールクリップ２００は、内側に間隔４１を形成する上部ガイド板４２と下部支持板４３との二枚の板からなるが、ボールクリップ２００の一側は開放され、間隔部４４が形成され、他側は上部ガイド板４２及び下部支持板４３が互いに連結された状態で形成されており、その開放された下部支持板４３の終端には、テーパー状に切断したテーパー面４５が形成されたクリップ本体４０が設けられている。クリップ本体４０の上部ガイド板４２には、同上部ガイド板４２の上下方向に貫通するが、左右方向に対称であり、一定の間隔で離間し、半円形状で貫通させた１対のガイド孔５０が形成されている。上部ガイド板４２と下部支持板４３との間において、１対のガイド孔５０に外郭面の一部が挿入可能に挟まれた１対のクリップボール６０が設けられている。したがって、これらが結合し、間隔部４４に挿入される文書３５をクランプするものである。
【００１７】
第２実施形態は、第１実施形態とは、上部ガイド板４２に形成されたガイド孔５０の形態において異なる。第２実施形態のガイド孔５０は、図４（ｂ）に示すように、左右対称の半円形状である。左右に２つのガイド孔５０が形成されており、これにより、ガイド孔５０に挿入されるクリップボール６０も２つである。
【００１８】
その作動の様子は、図８（ｂ）に示すように、文書３５を間隔部４４に挿入すると、文書３５の終端が２つのクリップボール６０を上昇させながら、クリップボール６０と下部支持板４３との間隔４１を広げるようになる。文書３５の終端は、クリップボール６０と下部支持板４３との間に入り、再度クリップボール６０が下向きに下がりながら、下部支持板４３とクリップボール６０との間に文書３５をクランプする。２つのクリップボール６０が左右から文書３５をクランプするので、堅固でかつ均衡維持が容易であり、それにより、クリップボール６０の小型化が可能になり、ボールクリップ２００の小型化が可能である。このような第２実施形態による製品デザインの例は、図１０及び図１１の通りである。
【００１９】
第３実施形態を図４（ｃ）に示す。第３実施形態は、視覚的に綺麗な女体を形状化し、より審美感を高めることが可能な構造である点に特徴がある。機能的な面でも、湾曲したガイド孔８０を採用し、より堅固にクランプするという長所がある。
【００２０】
上部ガイド板７２と下部支持板７３との二枚の板からなるが、一側は開放され、間隔部７４を形成し、他側は互いに連結されている。開放された下部支持板７３の終端は、テーパー状に切断したテーパー面７５をなす。平面の視覚的な外郭の形態が湾曲した女体の形状をしたクリップ本体７０が設けられており、クリップ本体７０の上部ガイド板７２には、同上部ガイド板７２の上下方向に貫通するが、一側に偏り、滑らかに丸みを帯びて湾曲した形状で貫通させたガイド孔８０が設けられている。上部ガイド板７２と下部支持板７３との間において、ガイド孔８０に外郭面の一部が挿入可能に挟まれたクリップボール９０が設けられている。これらが結合して、間隔部７４に挿入される文書３５をクランプするものである。
【００２１】
第３実施形態は、図４（ｃ）及び図７に示すように、平面形状が女性の体を想像させる「Ｓ」字形状となっている。上部ガイド板７２に形成されているガイド孔８０も、湾曲した形状に作製され、滑らかさが認識されるように作製されている。文書３５をクランプするとき、クリップ本体１０の外部に、クリップボール９０の一側の外郭部が突出可能に、ガイド孔８０は、一側に偏って形成されることが好ましい。ガイド孔８０は、クリップ本体７０の一側に偏った状態で湾曲するように作製される。ボールクリップ３００に文書３５を挿入するとき、クリップボール９０は、湾曲したガイド孔８０に沿って上昇するが、若干の揺れが生じる場合は、その湾曲したガイド孔８０に沿ってクリップボール９０がランダムに上昇しないように構造化したものである。このようなガイド孔８０の形状を通じて堅固なクランプが可能になる。
【００２２】
また、文書３５が間隔部７４に挿入されるとき、クリップボール９０がガイド孔８０に沿って上向きに上昇し、図７（ａ）に示すように、クリップボール９０がクリップ本体７０に完全に隠れる状態となる。しかし、クリップボール９０が重力によって下向きに下がり、文書３５の終端を強くクランプすると、図７（ｂ）に示すように、クリップ本体７０の外部に突出した状態を維持し、クリップボール９０が女性の体のシルエットのように滑らかかつ綺麗に突出した形状を維持する。このような視覚的な形状によって、ボールクリップ３００は、綺麗でかつ審美感を高める商品となる。第３実施形態による製品デザインの例は、図１２及び図１３の通りである。
【００２３】
また、クリップ本体１０、４０、７０の表面に、磁石粉末のコーティングや磁場を発生させるコーティングが形成され、それによって、コーティングの磁力で金属面に付着させてもよい。また、クリップボール３０、６０、９０の表面に磁石粉末のコーティングや磁場を発生させるコーティングが形成されてもよい。さらに、文書を迅速に保持するために、クリップボール３０、６０、９０の材質はゴムであってもよい。ボールクリップ１００、２００、３００は、一般に、壁面、パーティション、冷蔵庫に取り付けて用いるので、磁力で取り付け可能にするものである。金属材質からなる全ての壁面にボールクリップ１００、２００、３００を付着し、間隔部１４、４４、７４に文書３５を挟んで保管するものである。また、クリップ本体１０、４０、７０及びクリップボール３０、６０、９０に磁力をさらに与え、図９に示すように、一般のワイヤクリップや押しピン３６を保管することができる。
【００２４】
一方、チタン材質の冷蔵庫のドアやコンクリートの壁面には、磁力が作用しないので、本発明の実施形態では、クリップ本体１０、４０、７０をなす下部支持板１３、４３、７３の下端に別途の両面テープ９９を貼り付けてもよい。両面テープ９９をクリップ本体１０、４０、７０の後面に貼り付けて、両面テープ９９の他側の紙テープを剥がし、壁面に貼り付けてクリップとして活用するものである。これにより、本発明のボールクリップ１００、２００、３００は、金属板、コンクリート壁面、チタン材質の冷蔵庫の全てに対して取り付け可能である。
【符号の説明】
【００２５】
１０、４０、７０  クリップ本体
１２、４２、７２  上部ガイド板
１３、４３、７３  下部支持板
１４、４４、７４  間隔部
２０、５０、８０  ガイド孔
３０、６０、９０  クリップボール
１００、２００、３００  ボールクリップ
【図１】
2011000876.tif 000003
【図２】
2011000876.tif 000004
【図３】
2011000876.tif 000005
【図４】
2011000876.tif 000006
【図５】
2011000876.tif 000007
【図６】
2011000876.tif 000008
【図７】
2011000876.tif 000009
【図８】
2011000876.tif 000010
【図９】
2011000876.tif 000011
【図１０】
2011000876.tif 000012
【図１１】
2011000876.tif 000013
【図１２】
2011000876.tif 000014
【図１３】
2011000876.tif 000015
【手続補正書】
【提出日】平成21年10月5日(2009.10.5)
【手続補正１】
【補正対象書類名】図面
【補正対象項目名】図１０
【補正方法】変更
【補正の内容】
【図１０】
2011000876.tif 000016
【手続補正２】
【補正対象書類名】図面
【補正対象項目名】図１１
【補正方法】変更
【補正の内容】
【図１１】
2011000876.tif 000017